(57)【要約】【課題】  介護作業において、必要な力を軽減する器具が要望され、軽作業時にはその器具が邪魔にならず、臨機応変に多様な用件に使えるものが望まれていた。多くの介護作業が手を介して行われため、手の力を補うものであれば理想的である。【解決手段】  布および肌に付着する素材でできた手袋を用いる。手が滑らないので掴む力が不要となり、目的とする方向の力、あるいは介護者の体重が巧く使い易くなり、楽に作業することができる。  この手袋は、親指の先端部と他の４本をまとめた先端部をそれぞれ包むだけの構造であるため、簡単に着脱できる。手袋の手首部はマジックテープ等で手首に固定されるため、指を外した時でも手袋は手首にぶら下がっており、必要に応じて臨機応変に利用することができる。【選択図】図２
2009046791.tif 000002
【特許請求の範囲】
【請求項１】
親指の先端部と他の４本をまとめた先端部をそれぞれ包む構造から成る手袋。
【請求項２】
布および肌に付着する素材を用い、親指の先端部と他の４本をまとめた先端部をそれぞれ包む構造から成る手袋。
【請求項３】
布および肌に付着する素材を用い、親指の先端部と他の４本をまとめた先端部をそれぞれ包む構造から成り、マジックテープ等で手首に固定する手袋。
【発明の詳細な説明】
【技術分野】
【０００１】  本発明は、被介護者を起こしたり移動したりする時に、介護者の手が滑らず、必要な力を軽減できる介護用手袋に関する。
【背景技術】
【０００２】  自ら起きたり移動したりできない被介護者を介護することは、介護者の大きな負担である。多くの介護者が腰を痛め、筋肉痛に悩んでいるのが現状である。滑車を使って被介護者を持ち上げる器具も有るが、装置が大掛かりで高価であるばかりでなく、装置の移設が難しく、臨機応変で細やかな対応が必要な介護において機能性に乏しい。ロープや帯を用いて被介護者を動かす器具もあるが、必要な瞬時を過ぎると邪魔な存在となり、次の介護用件には使えないものが多い（たとえば、特許庁ホームページ公開公報）。
【発明の開示】
【発明が解決しようとする課題】
【０００３】  介護作業において、必要な力を軽減する器具が要望されるとともに、軽作業時にはその器具が邪魔にならず、臨機応変に多様な用件に使えるものが望まれる。多くの介護作業が手を介して行われため、手の力を補うものであれば理想的である。【０００４】  例えば、ベッドに寝た被介護者の上半身を起す場合を考える。被介護者の肩を掴む介護者の手が滑り易い場合には、掴むためにかなりの力を要するばかりでなく、引き起す方向の力、あるいは介護者の体重を巧く利用できない。このため、全体としてかなりの力を必要とし、時に腰を痛める。ところが、手が滑らなければ掴む力は不要となり、引き起す方向の力、あるいは介護者の体重が巧く使い易くなり、楽に起すことができる。【０００５】  よって、力を要する作業において、手が滑らないための補助具が要望されるとともに、軽作業時に邪魔とならず、臨機応変に多様な用件に使えるものが望まれる。
【課題を解決するための手段】
【０００６】  布および肌に付着する素材でできた手袋を用いる。この手袋は、親指の先端部と他の４本をまとめた先端部をそれぞれ包むだけの構造であるため、簡単に着脱できる。手袋の手首部はマジックテープ等で手首に固定されるため、指を外した時でも手袋は手首にぶら下がっており、必要に応じて臨機応変に利用することができる。
【発明の効果】
【０００７】  布および肌に付着する素材でできた手袋を用いることにより、被介護者を動かす時に、掴む力が不要となり、動かす方向の力のみで足り、介護者の体重も巧く使い易くなるため、楽に動かすことができる。腰を屈めて作業することが苦痛な場合等には、タオル等を被介護者に巻き付け、その端を引っ張ることで解決される。【０００８】  水に濡れても付着力が落ちない素材を用いれば、被介護者が入浴する時にも、この手袋を利用することができる。また、動かしたいものは人に限らないので、重たい荷物等を動かす時にも利用できる。
【発明を実施するための最良の形態】
【０００９】以下、本発明の実施例について、図面を参照して説明する。【００１０】  図１は、本発明の全体構成を示したもので、右手にはめる手袋である。符号１は掌を乗せる部分であり、符号２は親指の先端部を包み、符号３は他の４本の指をまとめた先端部を包むための袋となっている。指の先端部を包んでいるだけなので、手袋の着脱は容易である。符号４は手袋の手首部であり、マジックテープでできたバンド（符号５）が縫い合わされている。【００１１】  符号１〜符号４は、布および肌に付着する素材で作られている。布および肌に付着する素材は幾種類も市販されているが、メッシュの布地に滑り防止材を吹き付けたものが良く、軽くて通気性が良く、水に濡れてもすぐに乾く。【００１２】  図２は、手（符号６）に手袋を装着した状態を示したものである。親指を符号２の中へ、他の４本の指をまとめて符号３の中に入れた後、バンド（符号５）を手首に巻けば装着完了である。【００１３】  図３は、手袋を装着した後、手袋から指を外した状態を示している。手袋はバンド（符号５）で手首に固定されているため、手首にぶら下がった状態となっている。手袋は軽いので、この状態でも邪魔にならず、素手を使った軽作業ができる。手袋が必要になった時には、指先を手袋の包みに入れるだけで簡単に装着できるため、手袋を臨機応変に利用することができる。【００１４】  介護現場での利用状況を具体的に図示することは多岐に亘るので割愛するが、通常素手で行われる力を必要とする作業において、本発明具が手に装着されている状態を想像して戴ければ良い。被介護者を起す、寝返りをさせる、車椅子に乗せる・降ろす。重い布団を片付ける、テーブルを移動する、ビンの蓋を開ける、お絞りを充分絞る、等、力を要する作業は枚挙に暇がない。【００１５】  本発明具の特異な使い方としては、被介護者をお風呂に入れる場合が挙げられる。本発明具は肌にも付着するため、被介護者が裸になっても使え、風呂場で体を支え、移動することができる。また、手袋の素材が網目状なので、手袋に石鹸を付けて被介護者を洗うことができる。手袋に石鹸を付けた状態では付着性が無く滑り易いので注意を要するが、石鹸を洗い流してしまえば、所期の機能を発揮する。【００１６】  以上のように、介護においては手を使う作業がほとんどであり、力を必要とするものも多い。本発明具を用いれば、そのような作業において介護者の労力を軽減することができる。本発明具を用いたモニタリングによれば、介護者の負担が半分程度に軽減され、作業によっては１／３程度と感じられた例もある。構造的に通気性が良いことも、利用者に歓迎される長所である。【００１７】  また、本発明具は介護での利用に限らず、一般家庭における家事にも利用でき、汎用性が高い。着脱が容易な構造を勘案すれば、手袋の素材を変えて多岐に亘る利用が可能である（たとえば、熱い鍋等を掴む調理用手袋、窓拭き・掃除用手袋、等）。
【図面の簡単な説明】
【００１８】
【図１】本発明の全体構成図。
【図２】本発明具を手に装着した状態を示す図。
【図３】本発明具を手首にぶら下げた状態を示す図。
【符号の説明】
【００１９】１  手袋の掌部
２  親指を入れる包み
３  他の４本の指を入れる包み
４  手袋の手首部
５  マジックテープバンド
６  手
７  腕
【図１】
2009046791.tif 000003
【図２】
2009046791.tif 000004
【図３】
2009046791.tif 000005